(57)【要約】      （修正有）【課題】操作しやすく、無線で接続され、その他の部品を必要とせずに加熱機能を実現できる治療及び加熱機能を兼ね備える腹痛緩和用貼付具を提供する。【解決手段】腹痛緩和用貼付具は、電気的に接続された制御ホストと、ＴＥＮＳ＆ＥＭＳ層を備える電極パッドとを含み、制御ホスト及び電極パッドが取り外し可能に電気的に接続され、制御ホスト内のコア１．３に加熱出力モジュールを備え、電極パッドに加熱層が設置される。制御ホスト及び電極パッドが同時にＴＥＮＳ＆ＥＭＳ及び加熱機能を備えるため、他の部品によって加熱する必要がなく、加熱後に局所の血液循環量を増加し、ＴＥＮＳ＆ＥＭＳ効果を強める。同時に、制御ホスト内に無線制御モジュールが増設され、リモコン又は携帯電話による遠隔制御操作を実現する。機能キー１．２は遠隔操作を含み、毎回音声と光提示により、操作が有効になることを示す。【選択図】図１
0003218940.tif 000002
【実用新案登録請求の範囲】
【請求項１】
電気的に接続された制御ホストと、ＴＥＮＳ＆ＥＭＳ層を備える電極パッドとを含む治療及び加熱機能を兼ね備える腹痛緩和用貼付具において、前記制御ホスト及び前記電極パッドが取り外し可能に電気的に接続され、前記制御ホスト内に加熱出力モジュールを備え、前記電極パッドに加熱層が設置される、
ことを特徴とする治療及び加熱機能を兼ね備える腹痛緩和用貼付具。
【請求項２】
前記制御ホストは、トップケースと、機能キーと、コアと、ボトムケースとを含み、前記コアが前記トップケースと前記ボトムケースとの間に位置し、前記コアが前記機能キーと接続され、前記トップケースに前記機能キーに対向するキー孔が開けられ、前記加熱出力モジュールに加熱出力パッドが設置され、前記加熱出力モジュール及びＴＥＮＳ＆ＥＭＳ出力モジュールがコアに設置される、
ことを特徴とする請求項１に記載の治療及び加熱機能を兼ね備える腹痛緩和用貼付具。
【請求項３】
前記電極パッドは、表面層と、粘着性ゲルとをさらに含み、前記加熱層及び前記ＴＥＮＳ＆ＥＭＳ層は、前記表面層と前記粘着性ゲルとの間に位置し、前記加熱層が前記表面層に貼り合わせられ、前記加熱層及び前記ＴＥＮＳ＆ＥＭＳ層の電極にそれぞれ導電コンタクトＡ及び導電コンタクトＢが設置され、前記ボトムケースに前記導電コンタクトＡ及び前記導電コンタクトＢに対向する貫通孔が開けられ、前記コアが前記導電コンタクトＡ及び前記導電コンタクトＢと電気的に接続される、
ことを特徴とする請求項２に記載の治療及び加熱機能を兼ね備える腹痛緩和用貼付具。
【請求項４】
前記導電コンタクトＡ及び前記導電コンタクトＢは、それぞれ少なくとも２つ設置され、且つ間隔をあけて分布し、
前記導電コンタクトＡ及び前記導電コンタクトＢは、金属製又は非金属製のバックル、マグネット、インサート又はシールである、
ことを特徴とする請求項３に記載の治療及び加熱機能を兼ね備える腹痛緩和用貼付具。
【請求項５】
前記コアに電池が内蔵され、前記コアは、前記トップケースに固定され、前記電池は、充電電池、コラム電池又はコイン型電池である、
ことを特徴とする請求項２に記載の治療及び加熱機能を兼ね備える腹痛緩和用貼付具。
【請求項６】
前記機能キーは、機械式又はタッチ式キーであり、前記コアに無線制御モジュールが設置される、
ことを特徴とする請求項２に記載の治療及び加熱機能を兼ね備える腹痛緩和用貼付具。
【請求項７】
前記コアにＬＥＤニキシー管が設置され、前記ＬＥＤニキシー管の上方にニキシー管カバーが設置され、前記ニキシー管カバーに前記ＬＥＤニキシー管が発光表示するための窓が設置され、前記トップケースにおいて前記ニキシー管カバーに対応する箇所に表示窓としての開口が設置され、前記トップケースの表面に光透過性の装飾面が設置される、
ことを特徴とする請求項２に記載の治療及び加熱機能を兼ね備える腹痛緩和用貼付具。
【請求項８】
前記装飾面は、透明プラスチック部品をシルク印刷してなる半透明レンズであり、又は遮光体に透光孔を設置するものである、
ことを特徴とする請求項７に記載の治療及び加熱機能を兼ね備える腹痛緩和用貼付具。
【請求項９】
腰部に用いられ、腰ベルトを含む治療及び加熱機能を兼ね備える腹痛緩和用貼付具において、前記腰ベルトは、腰ベルト表層と、腰ベルト裏層と、制御ホストと、電極パッドとを含み、前記電極パッドは、ＴＥＮＳ＆ＥＭＳ層と、加熱層とを備え、前記加熱層及び前記ＴＥＮＳ＆ＥＭＳ層の電極にそれぞれ導電コンタクトＡ及び導電コンタクトＢが設置され、前記制御ホストのコアに加熱出力モジュール及びＴＥＮＳ＆ＥＭＳ出力モジュールを備え、前記腰ベルト表層に少なくとも１組の導電コンタクトＡ'及び導電コンタクトＢ'が固設され、前記制御ホストのコアが前記導電コンタクトＡ'及び前記導電コンタクトＢ'と取り外し可能に電気的に接続され、前記導電コンタクトＡが前記導電コンタクトＡ'と電気的に接続可能であり、前記導電コンタクトＢが前記導電コンタクトＢ'と電気的に接続可能である、
ことを特徴とする治療及び加熱機能を兼ね備える腹痛緩和用貼付具。
【請求項１０】
前記電極パッドは、前記腰ベルトの内壁に固設され、且つ前記電極パッドの前記加熱層が前記腰ベルトに貼り合わせられ、前記導電コンタクトＡがリード線によって前記導電コンタクトＡ'と電気的に接続され、前記導電コンタクトＢがリード線によって前記導電コンタクトＢ'と電気的に接続され、前記腰ベルト裏層は、前記電極パッドの両側に位置し、且つ前記腰ベルト表層と固定的に接続される、
ことを特徴とする請求項９に記載の治療及び加熱機能を兼ね備える腹痛緩和用貼付具。
【請求項１１】
前記導電コンタクトＡ'及び前記導電コンタクトＢ'は、金属製又は非金属製のバックル、マグネット、インサート又はシールである、
ことを特徴とする請求項１０に記載の治療及び加熱機能を兼ね備える腹痛緩和用貼付具。
【請求項１２】
前記電極パッドは、絶縁層をさらに含み、前記絶縁層は、前記加熱層と前記ＴＥＮＳ＆ＥＭＳ層との間に位置する、
ことを特徴とする請求項１０に記載の治療及び加熱機能を兼ね備える腹痛緩和用貼付具。
【請求項１３】
前記腰ベルト裏層の外表面に導電コンタクトＡ'''及び導電コンタクトＢ'''が固設され、前記導電コンタクトＡ'''は、リード線によって前記導電コンタクトＡ'と電気的に接続され、前記導電コンタクトＢ'''は、リード線によって前記導電コンタクトＢ'と電気的に接続され、前記導電コンタクトＡ'''及び前記導電コンタクトＢ'''は、それぞれ前記電極パッドの前記導電コンタクトＡ及び前記導電コンタクトＢと取り外し可能に電気的に接続される、
ことを特徴とする請求項９に記載の治療及び加熱機能を兼ね備える腹痛緩和用貼付具。
【請求項１４】
前記導電コンタクトＡ、前記導電コンタクトＢ、前記導電コンタクトＡ'及び前記導電コンタクトＢ'は、金属製又は非金属製のバックル、マグネット、インサート又はシールである、
ことを特徴とする請求項１３に記載の治療及び加熱機能を兼ね備える腹痛緩和用貼付具。
【請求項１５】
前記電極パッドは、表面層をさらに含み、前記加熱層は、前記ＴＥＮＳ＆ＥＭＳ層と前記表面層との間に位置し、前記加熱層が前記表面層に貼り合わせられる、
ことを特徴とする請求項１３に記載の治療及び加熱機能を兼ね備える腹痛緩和用貼付具。
【請求項１６】
前記制御ホストは、トップケースと、機能キーと、ボトムケースとをさらに含み、前記コアが前記トップケースと前記ボトムケースとの間に位置し、前記コアが前記機能キーと接続され、前記トップケースに前記機能キーに対向するキー孔が開けられ、前記加熱出力モジュールに加熱出力パッドが設置され、前記ボトムケースに前記導電コンタクトＡ及び前記導電コンタクトＢに対向する貫通孔が開けられる、
ことを特徴とする請求項９に記載の治療及び加熱機能を兼ね備える腹痛緩和用貼付具。
【請求項１７】
前記コアに電池が内蔵され、前記コアは、前記トップケースに固定され、前記電池は、充電電池、コラム電池又はコイン型電池であり、前記コアは、前記機能キーと接続され、前記機能キーは、機械式又はタッチ式キーであり、前記コアに無線制御モジュールが設置される、
ことを特徴とする請求項１６に記載の治療及び加熱機能を兼ね備える腹痛緩和用貼付具。
【請求項１８】
前記コアにＬＥＤニキシー管が設置され、前記ＬＥＤニキシー管の上方にニキシー管カバーが設置され、前記ニキシー管カバーに前記ＬＥＤニキシー管が発光表示するための窓が設置され、前記トップケースにおいて前記ニキシー管カバーに対応する箇所に表示窓としての開口が設置され、前記トップケースの表面に光透過性の装飾面が設置される、
ことを特徴とする請求項１６に記載の治療及び加熱機能を兼ね備える腹痛緩和用貼付具。
【請求項１９】
電気的に接続された制御ホストと、ＴＥＮＳ＆ＥＭＳ層を備える電極パッドとを含む治療及び加熱機能を兼ね備える腹痛緩和用貼付具において、前記制御ホスト及び前記電極パッドは一体的に接続され、前記電極パッドは、加熱層をさらに備え、前記制御ホストのコアは、加熱出力モジュールと、ＴＥＮＳ＆ＥＭＳ出力モジュールとを備える、
ことを特徴とする治療及び加熱機能を兼ね備える腹痛緩和用貼付具。
【請求項２０】
前記電極パッドは、表面層をさらに含み、前記加熱層は、前記ＴＥＮＳ＆ＥＭＳ層と前記表面層との間に位置し、前記加熱層が前記表面層に貼り合わせられる、
ことを特徴とする請求項１９に記載の治療及び加熱機能を兼ね備える腹痛緩和用貼付具。
【請求項２１】
前記電極パッドは、粘着性ゲルをさらに含み、前記加熱層及び前記ＴＥＮＳ＆ＥＭＳ層は、前記表面層と前記粘着性ゲルとの間に位置する、
ことを特徴とする請求項２０に記載の治療及び加熱機能を兼ね備える腹痛緩和用貼付具。
【請求項２２】
前記表面層に固定位置孔が設置され、前記腹痛緩和用貼付具を使用者に固定する固定物を通過させるために用いられる、
ことを特徴とする請求項２１に記載の治療及び加熱機能を兼ね備える腹痛緩和用貼付具。
【請求項２３】
前記加熱層は、基板に加熱回路パターンが設置されるものであり、前記ＴＥＮＳ＆ＥＭＳ層は、基板にＴＥＮＳ＆ＥＭＳ回路パターンが設置されるものであり、前記加熱回路パターン及び前記ＴＥＮＳ＆ＥＭＳ回路パターンは、異なる基板に設置されるか又は同一の基板の両面に設置される、
ことを特徴とする請求項１９に記載の治療及び加熱機能を兼ね備える腹痛緩和用貼付具。
【請求項２４】
前記加熱回路パターン及び前記ＴＥＮＳ＆ＥＭＳ回路パターンは、グラフェンを印刷して形成された導電回路である、
ことを特徴とする請求項２３に記載の治療及び加熱機能を兼ね備える腹痛緩和用貼付具。
【請求項２５】
前記加熱回路パターンにおける加熱部材は、赤外線発光管又は抵抗体である、
ことを特徴とする請求項２３に記載の治療及び加熱機能を兼ね備える腹痛緩和用貼付具。
【請求項２６】
前記制御ホストにトップケース、コア及びボトムケースが設置され、前記トップケースが表面層に嵌め込まれ、前記表面層に機能キーを備え、且つ前記制御ホストと接続され、前記コアに無線制御モジュールが設置される、
ことを特徴とする請求項１９に記載の治療及び加熱機能を兼ね備える腹痛緩和用貼付具。
【請求項２７】
前記コアに充電可能な電池が内蔵され、前記充電可能な電池が充電用のＵＳＢインタフェースと接続され、前記トップケース又は前記表面層に前記ＵＳＢインタフェースに対向する貫通孔が開けられる、
ことを特徴とする請求項２６に記載の治療及び加熱機能を兼ね備える腹痛緩和用貼付具。
【請求項２８】
前記コアが電池と電気的に接続され、前記電池が前記表面層の収容室内に設置され、前記電池と前記加熱層との間に断熱層が設置される、
ことを特徴とする請求項２６に記載の治療及び加熱機能を兼ね備える腹痛緩和用貼付具。
【請求項２９】
前記ＴＥＮＳ＆ＥＭＳ層及び前記加熱層にそれぞれ導電コンタクトＣ及び導電コンタクトＤが設置され、前記導電コンタクトＣ及び前記導電コンタクトＤは、それぞれ前記制御ホストの出力電極と電気的に接続され、前記導電コンタクトＣ及び前記導電コンタクトＤは導電領域を形成し、前記導電領域が少なくとも１つ設置される、
ことを特徴とする請求項１９に記載の治療及び加熱機能を兼ね備える腹痛緩和用貼付具。
【考案の詳細な説明】
【技術分野】
【０００１】
本出願は、出願番号が２０１７２１１４８４０２．１で、出願日が２０１７年０９月０６日の中国特許出願の優先権を主張する。
【０００２】
本考案は、理学療法機器の分野に属し、詳しく言えば、治療及び加熱機能を兼ね備える腹痛緩和用貼付具に関する。
【背景技術】
【０００３】
従来のパルス波治療器ＴＥＮＳ＆ＥＭＳ（ＴＥＮＳが疼痛を軽減させる理学療法機器であり、ＥＭＳが筋肉鍛えやリハビリで用いられる電気筋肉刺激装置である）は、通常制御ホストと皮膚に貼り付けられた粘着性電極パッドで構成され、ホストと粘着性電極パッドが冗長なリード線によって接続され、使用が不便であり、リード線の存在により使用者の活動も制限される。また、加熱機能を実現するためには、ホストは余分に比較的重厚な部品を必要とする。したがって無線で、その他の部品を必要とせずに加熱を実現できるＴＥＮＳ＆ＥＭＳを開発することは特に重要になる。
【０００４】
よって、さらに改良する必要がある。
【考案の概要】
【考案が解決しようとする課題】
【０００５】
本考案の目的は、従来技術に存在する上記欠陥に対し、操作しやすく、無線で接続され、その他の部品を必要とせずに加熱機能を実現できる治療及び加熱機能を兼ね備える腹痛緩和用貼付具を提供して、従来技術に存在する不足を解消することにある。
【課題を解決するための手段】
【０００６】
上記本考案の目的を達成すべく、本考案にて提供する治療及び加熱機能を兼ね備える腹痛緩和用貼付具は、電気的に接続された制御ホストと、ＴＥＮＳ＆ＥＭＳ層を備える電極パッドとを含み、前記制御ホスト及び電極パッドが取り外し可能に電気的に接続され、前記制御ホスト内に加熱出力モジュールを備え、前記電極パッドに加熱層が設置される。
【０００７】
さらに、前記制御ホストは、トップケースと、機能キーと、コアと、ボトムケースとを含み、前記コアが前記トップケースと前記ボトムケースとの間に位置し、前記コアが機能キーと接続され、前記トップケースに前記機能キーに対向するキー孔が開けられ、前記加熱出力モジュールに加熱出力パッドが設置され、前記加熱出力モジュール及びＴＥＮＳ＆ＥＭＳ出力モジュールがコアに設置される。
【０００８】
さらに、前記電極パッドは、表面層と、粘着性ゲルとを含み、前記加熱層及び前記ＴＥＮＳ＆ＥＭＳ層は、表面層と粘着性ゲルとの間に位置し、加熱層が表面層に貼り合わせられ、前記加熱層及び前記ＴＥＮＳ＆ＥＭＳ層の電極にそれぞれ導電コンタクトＡ及び導電コンタクトＢが設置され、前記ボトムケースに導電コンタクトＡ及び導電コンタクトＢに対向する貫通孔が開けられ、前記コアが導電コンタクトＡ及び導電コンタクトＢと電気的に接続される。
【０００９】
さらに、前記導電コンタクトＡ及び前記導電コンタクトＢは、それぞれ少なくとも２つ設置され、且つ間隔をあけて分布し、
前記導電コンタクトＡ及び前記導電コンタクトＢは、金属製又は非金属製のバックル、マグネット、インサート又はシールである。
【００１０】
さらに、前記コアに電池が内蔵され、前記コアは、トップケースに固定され、前記電池は、充電電池、コラム電池又はコイン型電池である。
【００１１】
さらに、前記機能キーは、機械式又はタッチ式キーであり、前記コアに無線制御モジュールが設置される。
【００１２】
さらに、前記コアにＬＥＤニキシー管が設置され、前記ＬＥＤニキシー管の上方にニキシー管カバーが設置され、前記ニキシー管カバーに前記ＬＥＤニキシー管が発光表示するための窓が設置され、前記トップケースにおいて前記ニキシー管カバーに対応する箇所に表示窓としての開口が設置され、前記トップケースの表面に光透過性の装飾面が設置される。
【００１３】
さらに、前記装飾面は、透明プラスチック部品をシルク印刷してなる半透明レンズであり、又は遮光体に透光孔を設置するものである。
【００１４】
本考案にてさらに提供する治療及び加熱機能を兼ね備える腹痛緩和用貼付具は、腰部に用いられ、腰ベルトを含み、前記腰ベルトは、腰ベルト表層と、腰ベルト裏層と、制御ホストと、電極パッドとを含み、前記電極パッドは、ＴＥＮＳ＆ＥＭＳ層と、加熱層とを備え、前記加熱層及び前記ＴＥＮＳ＆ＥＭＳ層の電極にそれぞれ導電コンタクトＡ及び導電コンタクトＢが設置され、前記制御ホストのコアに加熱出力モジュール及びＴＥＮＳ＆ＥＭＳ出力モジュールを備え、前記腰ベルト表層に少なくとも１組の導電コンタクトＡ'及び導電コンタクトＢ'が固設され、前記制御ホストのコアが導電コンタクトＡ'及び導電コンタクトＢ'と取り外し可能に電気的に接続され、前記導電コンタクトＡが前記導電コンタクトＡ'と電気的に接続可能であり、前記導電コンタクトＢが前記導電コンタクトＢ'と電気的に接続可能である。
【００１５】
さらに、前記電極パッドは、前記腰ベルト表層の内壁に固設され、且つ前記電極パッドの加熱層が腰ベルトの表面に貼り合わせられ、前記導電コンタクトＡがリード線によって前記導電コンタクトＡ'と電気的に接続され、前記導電コンタクトＢがリード線によって前記導電コンタクトＢ'と電気的に接続され、前記腰ベルト裏層は、前記電極パッドの両側に位置し、且つ前記腰ベルト表層と固定的に接続される。
【００１６】
さらに、前記導電コンタクトＡ'及び前記導電コンタクトＢ'は、金属製又は非金属製のバックル、マグネット、インサート又はシールである。
【００１７】
さらに、前記電極パッドは、絶縁層を含み、前記絶縁層は、前記加熱層と前記ＴＥＮＳ＆ＥＭＳ層との間に位置する。
【００１８】
さらに、前記腰ベルト裏層の外表面に導電コンタクトＡ'''及び導電コンタクトＢ'''が固設され、前記導電コンタクトＡ'''は、リード線によって前記導電コンタクトＡ'と電気的に接続され、前記導電コンタクトＢ'''は、リード線によって前記導電コンタクトＢ'と電気的に接続され、前記導電コンタクトＡ'''及び前記導電コンタクトＢ'''は、それぞれ前記電極パッドの導電コンタクトＡ及び導電コンタクトＢと取り外し可能に電気的に接続される。
【００１９】
さらに、前記導電コンタクトＡ、前記導電コンタクトＢ、前記導電コンタクトＡ'及び前記導電コンタクトＢ'は、金属製又は非金属製のバックル、マグネット、インサート又はシールである。
【００２０】
さらに、前記電極パッドは、表面層を含み、前記加熱層は、前記ＴＥＮＳ＆ＥＭＳ層と前記表面層との間に位置し、前記加熱層が前記表面層に貼り合わせられる。
【００２１】
さらに、前記制御ホストは、トップケースと、機能キーと、ボトムケースとを含み、前記コアが前記トップケースと前記ボトムケースとの間に位置し、前記コアが機能キーと接続され、前記トップケースに前記機能キーに対向するキー孔が開けられ、前記加熱出力モジュールに加熱出力パッドが設置され、前記ボトムケースに導電コンタクトＡ及び導電コンタクトＢに対向する貫通孔が開けられる。
【００２２】
さらに、前記コアに電池が内蔵され、前記コアは、トップケースに固定され、前記電池は、充電電池、コラム電池又はコイン型電池であり、前記コアは、機能キーと接続され、前記機能キーは、機械式又はタッチ式キーであり、前記コアに無線制御モジュールが設置されてもよい。
【００２３】
さらに、前記コアにＬＥＤニキシー管が設置され、前記ＬＥＤニキシー管の上方にニキシー管カバーが設置され、前記ニキシー管カバーに前記ＬＥＤニキシー管が発光表示するための窓が設置され、前記トップケースにおいて前記ニキシー管カバーに対応する箇所に表示窓としての開口が設置され、前記トップケースの表面に光透過性の装飾面が設置される。
【００２４】
本考案にてさらに提供する治療及び加熱機能を兼ね備える腹痛緩和用貼付具は、電気的に接続された制御ホストと、ＴＥＮＳ＆ＥＭＳ層を備える電極パッドとを含み、前記制御ホスト及び電極パッドは一体的に接続され、前記電極パッドは、加熱層をさらに備え、前記コアは、加熱出力モジュールと、ＴＥＮＳ＆ＥＭＳ出力モジュールとを備える。
【００２５】
さらに、前記電極パッドは、表面層を含み、前記加熱層は、前記ＴＥＮＳ＆ＥＭＳ層と前記表面層との間に位置し、前記加熱層が前記表面層に貼り合わせられる。
【００２６】
さらに、前記電極パッドは、粘着性ゲルを含み、前記加熱層及び前記ＴＥＮＳ＆ＥＭＳ層は、前記表面層と前記粘着性ゲルとの間に位置する。
【００２７】
さらに、前記表面層に固定位置孔が設置され、前記腹痛緩和用貼付具を使用者に固定する固定物を通過させるために用いられる。
【００２８】
さらに、前記加熱層は、基板に加熱回路パターンが設置されるものであり、前記ＴＥＮＳ＆ＥＭＳ層は、基板にＴＥＮＳ＆ＥＭＳ回路パターンが設置されるものであり、前記加熱回路パターン及び前記ＴＥＮＳ＆ＥＭＳ回路パターンは、異なる基板に設置されるか又は同一の基板の両面に設置される。
【考案の効果】
【００２９】
本考案は、従来技術と比べて以下の利点を有する。
市販の類似するＴＥＮＳ＆ＥＭＳはほとんど遠隔制御機能を備えず、電極パッドが加熱機能を備えず（独立する加熱部品を用いて加熱を実現する）、電極パッド及びホストがリード線によって接続され、使用時は整然としておらず、機能キーを操作して音声、光提示がない。本考案では、電極パッドは同時にＴＥＮＳ＆ＥＭＳ及び加熱機能を備えるため、その他の部品によって加熱する必要がなく、加熱後に局所の血液循環量を増加し、ＴＥＮＳ＆ＥＭＳ効果を強める。
【００３０】
本考案の製品は独立してＴＥＮＳ＆ＥＭＳを実現でき、独立して加熱でき、またＴＥＮＳ＆ＥＭＳ、加熱の２つの機能を同時に使用することもできる。
【００３１】
態様１：ホスト及び電極パッドは、「導電コンタクト」によって接続され、比較的長いリード線による接続を必要とせず、使用が簡便である。
態様２：一体機であり、「導電コンタクト」の取り外し可能な接続も省略され、構造が極めて簡潔であり、使用がより簡便である。
【００３２】
同時に、ホストを遠隔操作可能であり、本機器が背部など、手で操作しにくい位置に用いられる場合、リモコンを用いれば操作しにくいという問題を良好に解決する。機能キーの操作は遠隔操作を含み、毎回音声、光提示があると、操作が有効になることを示す。充電電池を使用し、電池を交換する必要がなく、環境に優しい。
【００３３】
電極シートパルス波治療及び加熱機能を兼ね備えることにより、重厚な加熱部品を省略し、ホストと電極パッドの一体化により、ホストと電極シートとの間の接続リード線を省略できる。
【００３４】
以下に図面及び具体的な実施形態を参照しながら、本考案について詳しく説明する。
【図面の簡単な説明】
【００３５】
【図１】本考案の一実施例による制御ホストの分解構造図である。
【図２】電極パッドの分解構造図である。
【図３】別の実施例による制御ホストの分解構造図である。
【図４】別の実施例による制御ホストの分解構造図である。
【図５】別の実施例による電極パッドの分解構造図である。
【図６】腰ベルトが制御ホストと取り外し可能に接続された腰ベルトの分解構造図である。
【図７】腰ベルトがそれぞれ制御ホスト、電極パッドと取り外し可能に接続された腰ベルトの分解構造図である。
【図８】実施例５による腹痛緩和用貼付具の分解構造図である。
【図９】実施例６による腹痛緩和用貼付具の分解構造図である。
【図１０】実施例７による加熱層とＴＥＮＳ＆ＥＭＳ層が同一の基板を採用する腹痛緩和用貼付具の分解構造図である。
【図１１】実施例８による赤外線を採用して加熱する腹痛緩和用貼付具の分解構造図である。
【図１２】実施例９による頸部に用いるのに最適である腹痛緩和用貼付具の分解構造図である。
【図１３】実施例１０による腹痛緩和用貼付具の分解構造図である。
【図１４】実施例１１による腹痛緩和用貼付具の分解構造図である。
【図１５】実施例１２による腹痛緩和用貼付具の分解構造図である。
【考案を実施するための形態】
【００３６】
本考案の目的、技術的解決手段及びその技術的効果をより明確にするために、以下に、図面及び具体的な実施形態に基づき、本考案についてさらに詳細に説明する。なお、本明細書で説明される具体的な実施形態は本考案を説明するためのものにすぎず、本考案を限定するものではない。
【００３７】
なお、素子が別の素子に「固定される」又は「設置される」と称される場合、それは別の素子に直接位置するか又は当該別の素子に間接的に位置することが可能である。素子が別の素子に「接続される」と称される場合、それは別の素子に直接接続されるか又は当該別の素子に間接的に接続されることが可能である。
【００３８】
なお、用語「長さ」、「幅」、「上」、「下」、「前」、「後」、「左」、「右」、「垂直」、「水平」、「頂」、「底」、「内」、「外」などの指す方向または位置関係は図面に基づいて示した方向または位置関係であり、本考案を説明するために簡略化したものであり、指された装置又は素子が特定の方向を有し、特定の方向で構築及び操作しなければならないという指示又は示唆はなく、したがって本考案を限定するものと解釈されるべきではない。
【００３９】
また、用語「第一」、「第二」は説明を目的とするものであり、相対的な重要性を指示又は示唆するもの又は指示された技術的特徴の数を意図するものではない。これにより、「第一」、「第二」で規定された特徴は１つ又は複数の当該特徴を明示的又は暗示的に含んでもよい。本考案の説明では、特に限定される場合を除き、「複数」の意味は２つ又は２つ以上である。
【００４０】
（実施例１）
図１〜図２に示すように、治療及び加熱機能を兼ね備える腹痛緩和用貼付具であって、電気的に接続された制御ホスト１と、ＴＥＮＳ＆ＥＭＳ層２．１を備える電極パッド２とを含み、制御ホスト１及び電極パッド２がバックル式で電気的に接続され、制御ホスト１内に加熱出力モジュールを備え、電極パッド２に加熱層２．２が設置される。
【００４１】
さらに、制御ホスト１は、プラスチック製トップケース１．１と、機能キー１．２と、コア１．３と、プラスチック製ボトムケース１．４とを含み、プラスチック製トップケース１．１にキー孔１．１１が開けられ、加熱出力モジュールに加熱出力パッドが設置され、加熱出力モジュール及びＴＥＮＳ＆ＥＭＳ出力モジュールがコア１．３に設置される。
【００４２】
プラスチック製トップケース、プラスチック製ボトムケース及びキーは、いずれも軟質な材料で作製されてもよい。
【００４３】
さらに、電極パッド２は、表面層２．３と、粘着性ゲル２．４とを含み、加熱層２．２及びＴＥＮＳ＆ＥＭＳ層２．１は、表面層２．３と粘着性ゲル２．４との間に位置し、加熱層２．２が表面層２．３に貼り合わせられ、加熱層２．２及びＴＥＮＳ＆ＥＭＳ層２．１の電極にそれぞれ導電コンタクトＡ３及び導電コンタクトＢ４が設置され、プラスチック製ボトムケース１．４に導電コンタクトＡ３及び導電コンタクトＢ４に対向する貫通孔が開けられ、コアが導電コンタクトＡ３及び導電コンタクトＢ４と電気的に接続される。
【００４４】
前記表面層は、電極パッドの加熱層のキャリアであり、材質は、不織布、ＰＥＴ、シリカゲルなどの軟質絶縁物であってもよい。
【００４５】
加熱層２．２の材質は、軟質ＰＥＴ、フレキシブル配線板などであってもよく、基板（ＰＥＴなど）に合理的に設計された導電物回路（導電物が導電カーボンペースト、銀ペースト、グラフェン、銅などであってもよい）が印刷され、導電コンタクトＡ３によって制御ホスト１から供給される電圧に基づいて電流が生じて均一に発熱する。
【００４６】
導電コンタクトＡ３は、場合によっては、導電性バックルであり、加熱層２．２に固定され、発熱回路の２つの電極であり、加熱層回路と制御ホスト１を電気的に接続する橋でもあり、金属、導電性の非金属材質である。
【００４７】
ＴＥＮＳ＆ＥＭＳ層２．１の材質は、軟質ＰＥＴ、フレキシブル配線板などであり、基板（ＰＥＴなど）に合理的に設計された導電物回路（導電物が銀ペースト、導電カーボンペーストなどであってもよい）が印刷され、導電コンタクトＢ４（導電性バックル）によって制御ホスト１から出力されるＴＥＮＳ＆ＥＭＳ電圧と電気的に接続される。
【００４８】
粘着性ゲル２．４は、粘着性を備える柔軟物で、導電性を備え、加熱電極パッド（ホストを含む）を皮膚に貼り付け、ＴＥＮＳ＆ＥＭＳ電圧及び熱エネルギーを伝達する。
【００４９】
表面層、加熱層、ＴＥＮＳ＆ＥＭＳ層の間の積層方式は、粘着のほかに、熱圧着、縫製などが挙げられる。
【００５０】
さらに、導電コンタクトＡ３及び導電コンタクトＢ４は、それぞれ少なくとも２つ設置され、且つ間隔をあけて分布し、
導電コンタクトＡ３及び導電コンタクトＢ４は、金属製又は非金属製のバックル、マグネット、インサート又はシールである。
【００５１】
導電コンタクトＡ及び導電コンタクトＢは、軟質でも硬質でもよく、電極パッドとの接続方式として、磁気吸引式、バックル式、係合式、貼り合わせ式などが挙げられる。
【００５２】
さらに、コア１．３に電池が内蔵され、コア１．３は、ねじでプラスチック製トップケース１．１に固定され、電池は、充電電池、コラム電池又はコイン型電池である。
【００５３】
さらに、コア１．３は、機能キー１．２と接続され、機能キー１．２は、機械式又はタッチ式キーであり、前記コアに無線制御モジュールが設置されてもよい。
【００５４】
（実施例２）
図２及び図３に示すように、本実施例では、制御ホスト１及び電極パッド２がバックル式で電気的に接続され、導電コンタクトＡ３及び導電コンタクトＢ４が金属又は非金属導電材質のバックルであり、制御ホスト１及び電極パッド２が導電コンタクトＡ３及び導電コンタクトＢ４によって接続され、取り外し可能な一体機を形成する。
【００５５】
なお、制御ホスト１及び電極パッド２の取り外し可能な接続方式は、磁気吸引式、軟質プラスチック係合式、シール式などの電気的接触接続でもよく、導電コンタクトは、場合によっては、バックル、マグネット、インサート又はシールである。
【００５６】
前記コア１．３に無線制御モジュールが設置され、リモコンを配置してもよく、無線データの伝送方式として、ブルートゥース（登録商標）、ラジオ、赤外線、携帯電話Ａｐｐ、ｗｉｆｉなどの方式が挙げられ、又は、ホストにリモコンを配置しなくても独立して操作でき、制御ホスト１のトップケース１．１にＬＣＤ表示操作機能を設置し、コア１．３に対応する機能キー及び制御モジュールを設置し、図３に示すように、トップケース１．１に軟質な装飾面１．６を設置し、側面にトップケース１．１に固定される取り付けバックルを設置し、且つコア１．３の機能キー１．２に対応するキー符号を設置し、トップケース１．１の正面にキー弾性プラスチックシート及び機能キーに対応する発光孔を設置し、キー弾性プラスチックシートがコア１．３の機能キーを押圧するために用いられ、コア１．３にＬＥＤ提示ランプ１．３１、ブザー式音声発生器１．３２、機械式キー及び電池接片を設置し、同時に電池１．７の取り外しを容易にするために、ボトムケース１．４に電池ゲート１．８を設置し、電池ゲート１．８が硬質なプラスチック部品であり、バックルがボトムケース１．４と取り外し可能に接続され、電池１．７を保護するために用いられ、ただし電池１．７が使い捨てのコイン型電池でも充電可能なコイン型電池でもよく、電池１．７の電極がコア１．３に溶接された電池接片と接触し、コア１．３に給電する。
【００５７】
（実施例３）
図４及び図５に示すように、表示が外乱光の影響を受けず、輝度が高く、鮮明で、全方位で観察するために、本実施例では、制御ホスト１の表示パネルとして従来のＬＣＤパネルを使用せず、輝度が高いＬＥＤランプを採用して配列することで実現する。制御ホスト１のコア１．３にＬＥＤニキシー管を設置し、ＬＥＤニキシー管の上方にニキシー管カバー１．５を設置し、ニキシー管カバー１．５に前記ＬＥＤニキシー管が発光表示するための窓を設置し、さらに各機能を表示する７セグメントデジタルコード開口を備え、プラスチック製トップケース１．１においてニキシー管カバー１．５に対応する箇所に表示窓としての開口を設置し、プラスチック製トップケース１．１の表面に光透過性の装飾面１．６を設置する。
【００５８】
さらに、装飾面１．６は、硬質な透明レンズを採用してもよく、裏面においてタッチ式機能キーに対応する位置にマークがシルク印刷され、場合によっては、必要に応じて異なる地色を印刷し、光を透過させるように表示パネルに対応する位置の地色が半透明であり、装飾面１．６のレンズがトップケース１．１に粘着される。
【００５９】
コア１．３に表示パネル、音声発生器１．３２、充電電池１．７、充電ＵＳＢソケット１．３３が配置され、コア１．３がねじでボトムケース１．４に固定される。硬質なボトムケース１．４に導電コンタクト（コネクタ）を配置するための４つの開孔が開けられ、右側面に電源キー及びＵＳＢ充電口を配置するための２つの開孔が開けられ、裏面にコア１．３及びトップケース１．１を固定するための複数のボルトが設置される。
【００６０】
図５に示すように、電極パッド２は、表面層２．３と、加熱層２．２、ＴＥＮＳ＆ＥＭＳ層２．１及び粘着性ゲル２．４で構成されるパッチであり、加熱層２．２及びＴＥＮＳ＆ＥＭＳ層２．１は、表面層２．３と粘着性ゲル２．４との間に位置し、加熱層２．２が表面層２．３に貼り合わせられ、加熱層２．２及びＴＥＮＳ＆ＥＭＳ層２．１の電極にそれぞれ導電コンタクトＡ３及び導電コンタクトＢ４が設置され、導電コンタクトＡ３及び導電コンタクトＢ４は、それぞれ加熱層２．２及びＴＥＮＳ＆ＥＭＳ層２．１に導電領域を形成するように、制御ホスト１と電気的に接続されるために用いられ、これにより加熱及びパルス波治療の機能を果たす。
【００６１】
本実施例では、電極パッド２の外形輪郭は、円形、楕円形、多辺形又は他の適切な形状であってもよく、関節、肩部、頸部、腰部、脚部、背部、有効な経穴などの様々な部位に用いられ、異なる形状や大きさ及び複数の治療領域が設置される。
【００６２】
ただし、加熱層２．２の加熱体は、抵抗体、赤外線などのタイプであってもよく、加熱層２．２は、軟質ＰＥＴ基板又はフレキシブル配線板などであり、基板（ＰＥＴなど）に合理的に設計された導電物回路（導電物が導電カーボンペースト、銀ペースト、グラフェン、銅などであってもよい）が印刷され、抵抗体の発熱材料がグラフェンであることが好ましい。
【００６３】
（実施例４）
本実施例では、電極パッド２を腰ベルト６に固設して一体化し、そして導電コンタクトによって図１、図３又は図４などの制御ホスト１と取り外し可能に接続される。
【００６４】
図６に示すように、腰ベルト６は、腰ベルト表層６．１と、腰ベルト裏層６．２と、マジックテープ（登録商標）６．５と、電極パッド２とを含む。
【００６５】
腰ベルト表層６．１は、繊維布など、軟質で、弾性を備える絶縁物であり、マジックテープ（登録商標）６．５のフック面（マジックテープ（登録商標）６．５の雄面）に係合するループ面が設置され、硬質繊維又はナイロンである。
【００６６】
腰ベルト裏層６．２は、シリカゲル、弾力布など、軟質で、弾性を備える絶縁物であり、熱圧着、縫製又は粘着などの方式で腰ベルト表層６．１の内側に固定され、「リード線６．４」の保護及び美観向上の役割を果たす。
【００６７】
マジックテープ（登録商標）６．５は、熱圧着、縫製又は粘着などの方式で腰ベルト裏層６．２の外表面の端部に固定され、マジックテープ（登録商標）６．５に雄面としてフック面が設置され、腰ベルト表層６．１にループ面（マジックテープ（登録商標）６．５に係合する雌面）が設置され、腰ベルト６の分離可能な貼り付けを実現し、着脱を容易にする。
【００６８】
電極パッド２は、加熱層２．２と、ＴＥＮＳ＆ＥＭＳ層２．１と、絶縁層６．３とを含み、加熱層２．２に導電コンタクトＡ３が設置され、ＴＥＮＳ＆ＥＭＳ層２．１に導電コンタクトＢ４が設置され、絶縁層６．３は、シリカゲルなど、軟質で、弾性を備える絶縁物であり、加熱層２．２とＴＥＮＳ＆ＥＭＳ層２．１を電気的に分離させ、熱圧着、縫製又は粘着などの方式で加熱層２．２と、腰ベルト表層６．１の中間に積層固定され、ＴＥＮＳ＆ＥＭＳ層２．１が皮膚と接触し、２枚の腰ベルト裏層６．２が腰ベルト表層６．１の両側に貼り合わせられて固定される。
【００６９】
腰ベルト表層６．１に２組の導電コンタクトが固設され、１組は、互いに絶縁する導電コンタクトＡ'６．１１及び導電コンタクトＢ'６．１２であり、もう１組は、互いに絶縁する導電コンタクトＡ''６．１３及び導電コンタクトＢ''６．１４であり、この２組の導電コンタクトは、バックル式又は介挿式又は係合式又は磁気吸引式又は貼り合わせ式などで制御ホスト１のコアと取り外し可能に電気的に接続されることが可能であり、制御ホスト１のコアは、使用位置の利便性に応じて１つの方式を選択してそのうちの１組の導電コンタクトと電気的に接続される。
【００７０】
なお、腰ベルト表層６．１に固設された導電コンタクトは、２組だけでなくてもよく、使用する必要がある部位に基づいてより多くの組を設置してもよく、腰ベルトを結んだ後、使用者は、操作の利便性に応じて操作位置が最も容易である箇所を選択して制御ホストと接続する。腰ベルトにおけるリード線の数を減らすために、１組だけを設置してもよく、この時、使用者は、腰ベルトの位置を移動した後に制御ホストを操作することができる。
【００７１】
導電コンタクトＡ３は、２本のリード線６．４によってそれぞれ導電コンタクトＡ'６．１１及び導電コンタクトＡ''６．１３と電気的に接続され、加熱通路のコネクタを構成する。導電コンタクトＢ４は、２本のリード線６．４によってそれぞれ導電コンタクトＢ'６．１２及び導電コンタクトＢ''６．１４と電気的に接続され、パルス波（ＴＥＮＳ＆ＥＭＳ）通路のコネクタを構成する。リード線６．４は、腰ベルト表層６．１と腰ベルト裏層６．２との間に密封される。導電コンタクトＡ３、導電コンタクトＢ４、導電コンタクトＡ'６．１１、導電コンタクトＢ'６．１２、導電コンタクトＡ''６．１３及び導電コンタクトＢ''６．１４は、それぞれ少なくとも正極、負極の２つのコネクタを含み、導電コンタクトＡ'６．１１及び導電コンタクトＢ'６．１２の４つのユニットの間が互いに絶縁し、導電コンタクトＡ''６．１３及び導電コンタクトＢ''６．１４の４つのユニットの間も互いに絶縁する。
【００７２】
ただし、リード線６．４は、導電繊維、銀線、銅線、導電布など、軟質で、弾性を備え、導電性に優れる導電体であり、リード線６．４と導電コンタクトとの接続は、溶接、端子係止、介挿などの接続方式であってもよい。
【００７３】
本実施例による腰ベルトの使用方法は以下のとおりである。
腰ベルト６を後背部から腹部に回して引き締めてマジックテープ（登録商標）６．５により腰ベルト表層６．１のループ面と貼り付けて固定し、電極パッド２を腰部の皮膚に貼り合わせ、さらに制御ホスト１と腰ベルト表層の２組の導電コンタクトのいずれかを接続し、図６に示すように、制御ホスト１が導電コンタクトＡ'６．１１及び導電コンタクトＢ'６．１２と接続される場合、制御ホスト１は、腹部に位置し、制御ホスト１が導電コンタクトＡ''６．１３及び導電コンタクトＢ''６．１４と接続される場合、制御ホスト１は、体側に位置し、制御ホスト１を操作してパルス波及び加熱治療を行うことができる。様々な体型の人に合わせて使用するために、腰ベルト表面の導電コンタクトを２組以上設置してもよい。
【００７４】
（実施例５）
本実施例では、電極パッド２と腰ベルト６が取り外し可能に接続され、腰ベルト６の両面が導電コンタクトによってそれぞれ制御ホスト１及び電極パッド２と取り外し可能に電気的に接続される。
【００７５】
図７に示すように、腰ベルト６は、腰ベルト表層６．１と、腰ベルト裏層６．２と、マジックテープ（登録商標）６．５とを含む。腰ベルト表層６．１と腰ベルト裏層６．２は、縫製又は熱圧着などの方式で貼り合わせられて固定され、マジックテープ（登録商標）６．５は、腰ベルト裏層６．２の外表面に固定され、マジックテープ（登録商標）６．５は、腰ベルト表層６．１のループ面に係合して分離可能な貼り付けを実現し、腰ベルト表層６．１と腰ベルト裏層６．２との間に３組の導電コンタクトが設置され、各組の導電コンタクトは、少なくとも正、負の２つのコネクタを含み、この３組の導電コンタクトは、導電コンタクトＡ'６．１１及び導電コンタクトＢ'６．１２、導電コンタクトＡ''６．１３及び導電コンタクトＢ''６．１４、導電コンタクトＡ'''６．２１及び導電コンタクトＢ'''６．２２である。
【００７６】
導電コンタクトＡ'''６．２１は、２本のリード線６．４によってそれぞれ導電コンタクトＡ'６．１１及び導電コンタクトＡ''６．１３と電気的に接続され、加熱通路のコネクタを構成する。導電コンタクトＢ'''６．２２は、２本のリード線６．４によってそれぞれ導電コンタクトＢ'６．１２及び導電コンタクトＢ''６．１４と電気的に接続され、パルス波（ＴＥＮＳ＆ＥＭＳ）通路のコネクタを構成する。リード線６．４は、腰ベルト表層６．１と腰ベルト裏層６．２との間に密封される。
【００７７】
導電コンタクトＡ'６．１１、導電コンタクトＢ'６．１２、導電コンタクトＡ''６．１３及び導電コンタクトＢ''６．１４は、腰ベルト表層６．１に固定され、この２組の導電コンタクトは、バックル式又は介挿式又は係合式などで制御ホスト１のコアと取り外し可能に電気的に接続されることが可能であり、制御ホスト１のコアは、使用位置の利便性に応じて１つの方式を選択してそのうちの１組の導電コンタクトと電気的に接続される。
【００７８】
導電コンタクトＡ'''６．２１及び導電コンタクトＢ'''６．２２は、腰ベルト裏層６．２の外表面に固設され、導電コンタクトＡ'''６．２１及び導電コンタクトＢ'''６．２２は、それぞれ電極パッド２の加熱層２．２の導電コンタクトＡ３、パルス波（ＴＥＮＳ＆ＥＭＳ）層の導電コンタクトＢ４に一対一で対応して取り外し可能に電気的に接続され、当該取り外し可能な電気的接続は、バックル式又は介挿式又は係合式などであってもよい。
【００７９】
なお、様々な体型の人に合わせて使用するために、腰ベルト表層６．１と腰ベルト裏層６．２との間の導電コンタクトを３組以上設置してもよく、複数対の電極パッド及び制御ホストが同時に治療することを容易にする。また、必要に応じて適切な位置に電極パッドを貼り付け、同時に操作位置の利便性に応じて、適切な位置に制御ホストと接続することも可能である。
【００８０】
本実施例による電極パッド２の構造は、実施例１〜２のいずれかの構造と同じであってもよく、電極パッド２は、ＴＥＮＳ＆ＥＭＳ層２．１と、加熱層２．２とを含み、この時、腰ベルト６は、電極パッド２を固定する役割を果たすため、粘着性ゲル２．４を省略してもよく、ＴＥＮＳ＆ＥＭＳ層２．１は、直接皮膚と接触し、パルス波を伝導し、熱エネルギーを皮膚及び筋肉に伝達する。
【００８１】
本実施例による腰ベルトの使用方法は以下のとおりである。
電極パッド２と腰ベルト裏層６．２の導電コンタクトを接続し、電極パッド２を腰部の皮膚に貼り合わせ、腰ベルト６を後背部から腹部に回して引き締めてマジックテープ（登録商標）６．５により腰ベルト表層６．１のループ面と貼り付けて固定し、さらに制御ホスト１と腰ベルト表層の２組の導電コンタクトのいずれかを接続し、この時、制御ホスト１は、腹部又は体側に位置し、制御ホスト１を操作してパルス波及び加熱治療を行う。
【００８２】
（実施例６）
図８に示すように、治療及び加熱機能を兼ね備える腹痛緩和用貼付具であって、電気的に接続された制御ホスト１と、ＴＥＮＳ＆ＥＭＳ層２．１を備える電極パッド２とを含み、制御ホスト１及び電極パッド２が一体的に接続され、電極パッド２が加熱層２．２をさらに備え、制御ホスト１のコア１．３が加熱出力モジュールを備える。
【００８３】
さらに、電極パッド２は、表面層２．３と、粘着性ゲル２．４とを含み、加熱層２．２及びＴＥＮＳ＆ＥＭＳ層２．１は、表面層２．３と粘着性ゲル２．４との間に位置し、加熱層は、表面層に貼り合わせられる。
【００８４】
粘着性ゲル２．４は、省略されてもよく、表面層２．３に結束バンド（又はマジックテープ（登録商標））で機器全体を使用する必要がある皮膚位置に固定する（貼り合わせる）。
【００８５】
さらに、制御ホスト１にプラスチック製トップケース１．１、コア１．３及びプラスチック製ボトムケース１．４が設置され、
プラスチック製トップケース１．１は、表面層２．３に嵌め込まれ、表面層２．３に機能キー１．２を備え、且つ制御ホスト１と接続され、前記コアに無線制御モジュールが設置されてもよい。
【００８６】
プラスチック製ボトムケース１．４に複数のバックル（フック）が設置され、プラスチック製ボトムケース１．４がバックルによってプラスチック製トップケース１．１のバックル孔に係合され、プラスチック製トップケースに固定される。プラスチック製ボトムケースのバックルを省略し、ねじでも固定でき、また超音波熱溶着、接着剤などで固定されてもよい。ボトムケースの材質は、硬質プラスチック又は軟質プラスチックであってもよい。
【００８７】
さらに、コア１．３に電池が内蔵され、コア１．３は、ねじでプラスチック製トップケース１．１に固定され、電池は、充電電池、コラム電池又はコイン型電池である。
【００８８】
コア１．３の音声、光提示としては、音声通知、光の色変化、光の強弱変化が挙げられる。
【００８９】
さらに、ＴＥＮＳ＆ＥＭＳ層２．１及び加熱層２．２にそれぞれ導電コンタクトＣ２．１１及び導電コンタクトＤ２．２１が設置され、導電コンタクトＣ２．１１及び導電コンタクトＤ２．２１は、それぞれ制御ホストの出力電極と電気的に接続され、導電コンタクトＣ及び導電コンタクトＤは、導電領域を形成し、前記導電領域が少なくとも１つ設置される。導電領域は、１つ又は複数であってもよく、本実施例では、１つの導電領域である。
【００９０】
（実施例７）
図９に示すように、本実施例による治療及び加熱機能を兼ね備える腹痛緩和用貼付具であって、電気的に接続された制御ホスト１と、ＴＥＮＳ＆ＥＭＳ層２．１を備える電極パッド２とを含み、制御ホスト１及び電極パッド２が一体的に接続され、電極パッド２が加熱層２．２をさらに備え、制御ホスト１のコア１．３が加熱出力モジュールを備える。
【００９１】
電極パッド２は、表面層２．３と、粘着性ゲル２．４とをさらに含み、加熱層２．２及びＴＥＮＳ＆ＥＭＳ層２．１は、表面層２．３と粘着性ゲル２．４との間に位置し、加熱層２．２は、表面層２．３に貼り合わせられる。
【００９２】
表面層２．３の材質は、シリカゲル、ＴＰＵなどの軟材であり、表面層２．３に設置された突出する機能キーは、軟質プラスチックで、手触りが柔らかく、機能キー１．２とトップケース１．１は、別体で固定的に接続され、表面層２．３にトップケース１．１、電池１．７及び断熱層２．５を搭載するための凹んだ収容室が設置され、表面層２．３に突出し、コア１．３に対応するキー及びトップケース１．１ボタンのキーが設置され、コア１．３、ＬＥＤ提示ランプ、ＵＳＢに対応する開孔が設置され、一体型の加熱電極パッド２を人体に固定する固定位置孔２．３１が配置され、固定位置孔２．３１の役割は、粘着性ゲル２．４を省略し、固定位置孔２．３１を利用して固定物で治療及び加熱機能を兼ね備える腹痛緩和用貼付具を人体に固定し、ＴＥＮＳ＆ＥＭＳ層２．１を直接皮膚と接触させ、加熱層２．２の熱エネルギーもＴＥＮＳ＆ＥＭＳ層２．１によって皮膚に伝達されることである。
【００９３】
本実施例によるＴＥＮＳ＆ＥＭＳ層２．１は、導電性チャックであってもよく、これにより粘着性ゲル２．４（粘着性を備える柔軟物であり、導電性を備え、皮膚に貼り付けられ、パルス波電気エネルギー及び／又は熱エネルギーを伝達するために用いられる）を省略する。
【００９４】
加熱層２．２は、合理的に設計された導電物加熱回路パターンが印刷される軟質な基板であり、軟質な基板は、ＰＥＴ又はＦＰＣなどであり、導電物の材質は、グラフェンであることが好ましく、導電カーボンペースト、銀ペースト、銅などであってもよく、加熱層２．２は、導電コンタクトＤ２．２１として２つの導電ピンを備え、複数のピンを備えてもよい。導電コンタクトＤ２．２１及びコア１．３の加熱出力電極は、ねじの押圧接触によってオンにされ、溶接、係止、貼り付けによる電気的接続でもよく、加熱層２．２は、表面層２．３に貼り合わせられ（付着され）、貼り付け、熱圧着、縫製などの方式で表面層２．３に貼り合わせられてもよい。
【００９５】
ＴＥＮＳ＆ＥＭＳ層２．１は、導電シリカゲル又は合理的に設計された導電物ＴＥＮＳ＆ＥＭＳ回路パターンが印刷された軟質ＰＥＴ、フレキシブル配線板などであり、基板（ＰＥＴなど）に合理的に設計された導電物回路（導電物が銀ペースト、導電カーボンペースト、グラフェンなどであってもよい）が印刷され、ＴＥＮＳ＆ＥＭＳ層２．１は、導電コンタクトＣ２．１１として２つの導電ピンを備え、複数のピンを備えてもよい。導電コンタクトＣ２．１１及びコア１．３のパルス波出力電極は、ねじの押圧接触によってオンにされ、また他の接続方式でもよい。ＴＥＮＳ＆ＥＭＳ層２．１は、加熱層２．２に貼り合わせられ（付着され）、貼り付け、熱圧着、縫製などの方式で加熱層２．２に貼り合わせられてもよい。ＴＥＮＳ＆ＥＭＳ層２．１と加熱層２．２は互いに絶縁する。
【００９６】
コア１．３は、パルス波及び／又は加熱電圧の発生、制御、出力のコアであり、コア１．３に電源マネージャが設置され、コア１．３にパルス波及び／又は加熱出力電極が設置され、また電池１．７との接続点が設置される。出力電極は、それぞれパルス波導電コンタクトＣ２．１１、加熱導電コンタクトＤ２．２１であり、接続方式として溶接リード線６．４、ねじの押圧接触、バックル式、介挿、粘着、超音波熱溶着、アルゴン溶接などが挙げられる。コア１．３に機能キー１．２、音声発生器１．３２、ＬＥＤランプ、充電ＵＳＢソケット１．３３（使い捨ての電池１．７を使用する場合にこのソケットはない）が配置される。コア１．３は、トップケース１．１内に固定され、固定方式としてねじ締め、係合、接着剤などが挙げられる。さらに、キーは、タッチスイッチとして設計されてもよく、コア１．３は、遠隔制御装置が配置されてもよく、ホストに対するブルートゥース（登録商標）、ラジオ、変調波、赤外線、携帯電話ＡＰＰ、ＷｉＦｉなどの方式の遠隔制御操作を実現する。
【００９７】
電池１．７と加熱層２．２との間に断熱層２．５が設置され、加熱層２．２の熱エネルギーが電池１．７に伝達して電池の性能に影響して表面層２．３の熱エネルギー損失を引き起こすことを阻止する。断熱層２．５は、難燃性物質であり、断熱層２．５は、シート状や、形状が電池１．７に類似する溝を用いてもよい。
【００９８】
（実施例８）
図１０に示すように、本実施例が実施例７と相違するところは以下の点にある。
加熱回路パターンとＴＥＮＳ＆ＥＭＳ回路パターンが同一の基板の両面に設置され、基板の一面に加熱回路パターンが設置され、前記ＴＥＮＳ＆ＥＭＳ層２．１が、基板にＴＥＮＳ＆ＥＭＳ回路パターンが設置されるものであり、トップケース１．１と機能キー１．２が一体的に成形される。
【００９９】
（実施例９）
図１１に示すように、本実施例が実施例７と相違するところは以下の点にある。
加熱層２．２は、赤外線発光管を採用して加熱機能を実現する。
加熱層２．２の材質は、フレキシブル配線板であり、その基板（ＰＥＴなど）に合理的に設計された回路が印刷され、貼付式赤外線発光管２．２２がフレキシブル配線板に貼り付けて溶接され、導電コンタクトＤ２．２１によってホストの赤外線出力パッドと電気的に接続される。赤外線ダイオードの通電加熱は２つの部分に分けられ、１つは、電流が赤外線ダイオードによって熱エネルギーに変換され、皮膚表層により温度が感じられて皮膚を経て熱エネルギーが筋肉に伝達されることであり、もう１つは、電流が赤外線ダイオードによって光エネルギーに変換され、皮膚と接触しなくても筋肉に照射して熱効果を発生することである。
加熱層２．２は、導電コンタクトＤ２．２１として２つの導電ピンを備え、複数のピンを備えてもよい。導電コンタクトＤ２．２１及びコア１．３の赤外線加熱出力電極は、ねじの押圧接触によってオンにされ、溶接、係止、貼り付けによる電気的接続でもよく、加熱層２．２は、ＴＥＮＳ＆ＥＭＳ層２．１に貼り合わせられる（付着される）。付着方式として貼り付け、熱圧着、縫製などの方式が挙げられる。
【０１００】
（実施例１０）
図１２に示すように、本実施例が実施例７と相違するところは以下の点にある。
本実施例による治療加熱用多機能電極パッド２が頸部形状に適する電極パッド２であり、形状（例えば円形、楕円形、多辺形又は他の適切な形状）を変えて関節、肩部、頸部、腰部、脚部、背部、有効な経穴などの他の部位に用いてもよい。
本実施例によるコア１．３に充電電池１．７、電源マネージャ及び充電ＵＳＢソケット１．３３が設置され、充電ＵＳＢソケット１．３３が電源線５の一端に係合され、電源線５の他端が５Ｖの直流電力を出力するアダプタ又は移動電源と接続され、コア上の電池１．７を充電して加熱機能の給電を実現する。
トップケース１．１上の機能キー１．２は、機械式スイッチであり、タッチスイッチとして設置されてもよく、トップケース１．１の材質は、硬質プラスチック、軟質プラスチック、ＴＰＵなどであってもよい。
【０１０１】
（実施例１１）
図１３に示すように、本実施例が実施例１０と相違するところは以下の点にある。
実施例１０による電池１．７がコア１．３に固定され、取り外し不能であり、本実施例による電極パッドにおける電池１．７が取り外し可能なコイン型電池１．７であり、コイン型電池１．７は、使い捨ての電池であってもよく、また充電電池であってもよく、コイン型電池１．７は、ボトムケース１．４上の取り付け孔を貫通し、コア１．３上の係合式の導電体によって固定されてコア１．３と電気的に接続され、コイン型電池１．７は、ホストの動作（加熱機能以外）に給電し、加熱機能は、電源線５の一端がコア１．３上のＵＳＢソケット１．３３と接続され、他端が５Ｖの直流電力を出力するアダプタ又は移動電源と接続されることで加熱機能の給電を実現する。
使用後に残量が低い場合、使い捨ての電池１．７の場合に新たな電池１．７を交換し、充電電池１．７の場合に電源線５でＵＳＢソケット１．３３及びアダプタに接続して充電することができる。
同時に、ボトムケース１．４に電池１．７を保護するための電池ゲート１．８が設置され、電池ゲート１．８にバックルが設置され、電池ゲート１．８がバックルとボトムケース１．４上の係止溝によってボトムケース１．４に固定される。電池ゲート１．８は、使い捨ての電池１．７の交換を容易にするために、取り外し可能である。
本実施例では、加熱機能を省略し、パルス波治療機能だけを備えてもよい。
【０１０２】
（実施例１２）
図１４に示すように、本実施例が前述した実施例と相違するところは以下の点にある。
前述した実施例による治療及び加熱機能を兼ね備える腹痛緩和用貼付具において、ＴＥＮＳ＆ＥＭＳ層２．１が１対だけあり、本実施例によるパルス波治療及び加熱機能電極パッド２において、ＴＥＮＳ＆ＥＭＳ層２．１が複数の部位で使用でき、ＴＥＮＳ＆ＥＭＳ層２．１が２箇所にあり、加熱層２．２が中間部位のＴＥＮＳ＆ＥＭＳ層２．１だけに配置され、両側のＴＥＮＳ＆ＥＭＳ層２．１が発熱機能を備えない。
２箇所のＴＥＮＳ＆ＥＭＳ層２．１は、導電コンタクトＣ２．１１として４つの導電ピンを備え、直列、並列することでピンの数を増加することもできる。
【０１０３】
（実施例１３）
図１５に示すように、本実施例が実施例１２と相違するところは以下の点にある。
本実施例による治療及び加熱機能を兼ね備える腹痛緩和用貼付具は、６枚式であり、加熱層２．２の２枚以外の発熱領域は、導電コンタクトＤ２．２１に並列又は直列され、ＴＥＮＳ＆ＥＭＳ層２．１の２枚以外のパルス波領域は、導電コンタクトＣ２．１１に並列又は直列される。
表面層２．３にトップケース１．１を搭載するための凹んだ収容室が設置されず、表面層２．３においてトップケース１．１を搭載する位置が貫通孔であり、すなわちトップケース１．１が表面層２．３上の貫通孔に嵌め込まれ、トップケース１．１が直接外部に露出する。トップケース１．１のコア１．３のキーに対応する面が密閉型であり、正面にキー機能符号が設置され、トップケース１．１の正面及び側面が表面層２．３により密閉されず、露出される。
電池１．７がコア１．３に搭載されず、表面層２．３の凹んだ電池室１．９内に搭載され、電池１．７と加熱層２．２との間に断熱層２．５がさらに設置される。
【０１０４】
（本考案の動作原理）
制御ホスト１内のコア１．３に制御チップが配置され、チップにプログラムソフトウェアが書き込まれ（記憶され）、制御ホスト１に内蔵された電池によりエネルギーを供給する。
制御ホスト及び電極パッドを導電性バックルＡ及び導電性バックルＢによって接続し（一体機の場合にこの操作が不要となる）、粘着性ゲル２．４を皮膚に貼り付け（粘着性ゲルを省略し、弾性結束バンドで電極パッドを固定してもよい）、制御ホストの電源スイッチキーを押して、電源をオンにする（音声、光提示がある）。ＴＥＮＳ＆ＥＭＳ又は加熱動作モード（ＴＥＮＳ＆ＥＭＳ、加熱機能が個別に動作してもよく、また同時に動作してもよい）を選択し、そして強度キーを押してチップのプログラムソフトウェアによって強度が制御可能なＴＥＮＳ＆ＥＭＳパルス波及び加熱の直流電圧をコアの出力パッド（一体機の出力電極）に発生させ、取り外し式（バックル式、磁気吸引式、介挿式又は係合式）の制御ホストのコアは、導電コンタクトＡ、導電コンタクトＢによって電極パッドと電気的に接続され、一体機のコアは、出力電極によって加熱層、ＴＥＮＳ＆ＥＭＳ層の導電コンタクトＣ、導電コンタクトＤと直接接触してオンにされ、さらに粘着性ゲルで熱エネルギー、ＴＥＮＳ＆ＥＭＳパルス波を皮膚に伝達する。
取り外し可能なホストの導電コンタクトＡが加熱層と電気的に接続され、導電コンタクトＢがＴＥＮＳ＆ＥＭＳ層と電気的に接続される。
導電コンタクトＡと導電コンタクトＢが互いに絶縁し、加熱層とＴＥＮＳ＆ＥＭＳ層が互いに絶縁する。
一体機の導電コンタクトＣと導電コンタクトＤが互いに絶縁し、加熱層とＴＥＮＳ＆ＥＭＳ層が互いに絶縁する。
ＴＥＮＳ＆ＥＭＳ層は、分割できない２つの電極を備え、加熱層も、分割できない２つの電極を備える。本考案の実施例（取り外し可能な別体機、一体機）は、いずれも４つの電極を備え、量産の時に物理的強度を高め、電気的伝送損失を低減するために、４つ以上の電極を並列（直列）することが多い。
一体機、取り外し可能なホスト及び電極パッドの組合せは、個別に使用してもよく、また一体機、取り外し可能なホストを遠隔操作してもよく、手で操作しにくい位置での使用に便利である。ホストを遠隔操作しても音声、光提示がある。
【０１０５】
以上は図面に基づいて本考案の実施例について説明したが、本考案は上記の具体的な実施形態に限定されるものではなく、上記の具体的な実施形態は、例示的なものにすぎず、本考案の実施範囲を限定するものではなく、当業者であれば、本考案の思想に基づき、本考案の趣旨及び実用新案登録請求の範囲を逸脱することなく、種々の変更が可能であり、これらがいずれも本考案の保護範囲内に含まれる。また、本明細書では幾つかの特定の用語が使用されているが、これらの用語は説明を容易にするためのものにすぎず、本考案を限定するものではない。
【符号の説明】
【０１０６】
１  制御ホスト；１．１  トップケース；１．１１  キー孔；１．２  機能キー；１．３  コア；１．３１  ＬＥＤ提示ランプ；１．３２  音声発生器；１．３３  ＵＳＢソケット；１．４  ボトムケース；１．５  ニキシー管カバー；１．６  装飾面；１．７  電池；１．８  電池ゲート；１．９  電池室；２  電池パッド；２．１  ＴＥＮＳ＆ＥＭＳ層；２．１１  導電コンタクトＣ；２．２  加熱層；２．２１  導電コンタクトＤ；２．２２  赤外線発光管；２．３  表面層；２．３１  固定位置；２．４  粘着性ゲル；２．５  断熱層；３  導電コンタクトＡ；４  導電コンタクトＢ；５  電源線；６  腰ベルト；６．１  腰ベルト表層；６．１１  導電コンタクトＡ'；６．１２  導電コンタクトＢ'；６．１３  導電コンタクトＡ''；６．１４  導電コンタクトＢ''；６．２  腰ベルト裏層；６．２１  導電コンタクトＡ'''；６．２２  導電コンタクトＢ'''；６．３  絶縁層；６．４  リード線；６．５  マジックテープ（登録商標）；
ホストと電極パッドが取り外し可能な接続の場合：加熱層電極が導電コンタクトＡ  ３であり、ＴＥＮＳ＆ＥＭＳ層電極が導電コンタクトＢ  ４である；
一体機の場合：加熱層電極が導電コンタクトＤ  ２．２１であり、ＴＥＮＳ＆ＥＭＳ層電極が導電コンタクトＣ  ２．１１である。
【図１】
0003218940.tif 000003
【図２】
0003218940.tif 000004
【図３】
0003218940.tif 000005
【図４】
0003218940.tif 000006
【図５】
0003218940.tif 000007
【図６】
0003218940.tif 000008
【図７】
0003218940.tif 000009
【図８】
0003218940.tif 000010
【図９】
0003218940.tif 000011
【図１０】
0003218940.tif 000012
【図１１】
0003218940.tif 000013
【図１２】
0003218940.tif 000014
【図１３】
0003218940.tif 000015
【図１４】
0003218940.tif 000016
【図１５】
0003218940.tif 000017